(57)【要約】【課題】  ビデオカメラ本体と表示部の間にバッテリーを配置すると、表示部をビデオカメラ本体に対して回動する際に、表示部と対向するバッテリーの面に表示部の一部が接触してしまう。このため、バッテリーに傷が生じるという問題が起こる。【解決手段】  ヒンジを介して互いに回動可能に取り付けられた第一の筐体および第二の筐体とを備えた電子機器に対して着脱可能なバッテリーであって、前記バッテリーは前記第一の筐体に装着可能で、前記第一の筐体と第二の筐体の間に収納可能であって、前記バッテリーの第二の筐体に対向する面には凹凸形状を持つことを特徴とする。【選択図】  図５
2007163588.tif 000002
【特許請求の範囲】
【請求項１】
ヒンジを介して互いに回動可能に取り付けられた第一の筐体および第二の筐体とを備えた電子機器に対して着脱可能なバッテリーであって、前記バッテリーは前記第一の筐体に装着可能で、前記第一の筐体と第二の筐体の間に収納可能であって、前記バッテリーの第二の筐体に対向する面には凹凸形状を持つことを特徴とする。
【請求項２】
ヒンジを介して互いに回動可能に取り付けられた第一の筐体および第二の筐体とを備えた電子機器に対して着脱可能なバッテリーであって、前記バッテリーは前記第一の筐体に装着可能で、前記第一の筐体と第二の筐体の間に収納可能であって、前記バッテリーの第二の筐体に対向する面には印刷を施すことを特徴とする。
【請求項３】
ヒンジを介して互いに回動可能に取り付けられた第一の筐体および第二の筐体とを備えた電子機器に対して着脱可能なバッテリーであって、前記バッテリーは前記第一の筐体に装着可能で、前記第一の筐体と第二の筐体の間に収納可能であって、前記バッテリーの第二の筐体に対向する面にはシール部材を貼ることを特徴とする。
【請求項４】
前記ヒンジは前記第二の筐体が開閉方向に回動される第一の回動手段と、更に表裏反転自在に回動される第二の回動手段を有することを特徴とする電子機器に対し着脱可能な請求項１乃至３に記載のバッテリー。
【請求項５】
前記バッテリーの第二の筐体対向面の凹凸形状は、略円弧状であることを特徴とした請求項１に記載のバッテリー。
【請求項６】
請求項１乃至５に記載のバッテリーを着脱可能な電子機器。
【発明の詳細な説明】
【技術分野】
【０００１】
本発明は互いに回動する二つの筐体を持つ電子機器に対して着脱可能なバッテリー、及びそのバッテリーを用いた電子機器に関するものである。電子機器とは特にデジタルカメラやデジタルビデオカメラ、ＰＤＡや携帯電話に関するものである。
【背景技術】
【０００２】
第一の筐体と第二の筐体がヒンジを介して回動自在に接続された電子機器において、第二の筐体を第一の筐体に対して回動する際に、第一の筐体の第二の筐体に対する対向面上に第二の筐体の一部が接触することによって傷ができることがある。全くの平面状にこのような傷がつくと外観を著しく損ねる。そのため、例えば特許文献１のようにビデオカメラ本体の表示部に対する本体対向面上に接触することによって傷ができることが予想される個所にあらかじめ凹凸を設ける。これによって、表示部が接触することによって傷ができても、傷が目立ちにくくなるような手法は周知である。
【０００３】
そこで、特許文献２には所定の角度範囲で一方向の軸周りの回転移動を規制するようなヒンジ機構が提案されている。このようなヒンジを使用すれば、表示部がバッテリーに当たらない範囲のみにヒンジの動きを規制することができる。
【０００４】
一方、機器の小型化による部品配置の制限や、デザインの自由度の向上のため、ビデオカメラ本体と表示部の間に電力を供給するためのバッテリーを配置するものがある。
【０００５】
また、近年、電子機器のバッテリーは、使用する電子機器の間で互換性があり、電子機器が古くなっても、バッテリーや記録メディアなどの付属品は、新しい電子機器で使用できることが多い。そのため、バッテリーや記録メディアなどの付属品は外観、耐久性ともに、電子機器本体よりも高い品質が求められている。
【特許文献１】特開２００１−１１１８７７号公報
【特許文献２】特開２００５−１５５７７９号公報
【発明の開示】
【発明が解決しようとする課題】
【０００６】
しかしながら、ビデオカメラ本体と表示部の間に、バッテリーを配置すると、表示部をビデオカメラ本体に対して回動する際に、表示部と対向するバッテリーの面に表示部の一部が接触してしまう。このため、バッテリーの表示部対向面に表示部が接触することによって、バッテリーに傷が生じるという問題が起こる。
【０００７】
また、ヒンジに回動規制機構を設けるとヒンジの機構が複雑になり、ヒンジの小型化が困難になる。ヒンジ部が小型ができないと、ヒンジの大きさが電子機器全体の小型化の障害要因となってしまう。
【課題を解決するための手段】
【０００８】
上記目的を達成するため、本出願に係る第１の発明は、ヒンジを介して互いに回動可能に取り付けられた第一の筐体および第二の筐体とを備えた電子機器に対して着脱可能なバッテリーであって、前記バッテリーは前記第一の筐体に装着可能で、前記第一の筐体と第二の筐体の間に収納可能であって、前記バッテリーの第二の筐体に対向する面には凹凸形状を持つことを特徴とする。
【発明の効果】
【０００９】
複雑な機構の設計・製作も必要なく、機構が複雑でないので電子機器の筐体を小型化することが出来るとともにコストも安価になる。また、傷をつきにくくし、使用中に生じる傷を視覚的に判別困難にするため、長期にわたる使用や頻繁な使用でも、外観の悪化を感じさせることなく、快適に使用することが可能になる。
【発明を実施するための最良の形態】
【００１０】
以下、本発明を実施するための形態に関して説明する。
【実施例１】
【００１１】
図１は本発明に係わる電子機器、特に本実施例では撮像装置（１００）であるビデオカメラを例として構成を示したブロック図である。
【００１２】
図１において、撮像部（１０１）は、光学系レンズ、ＣＣＤ等の撮像素子、オートフォーカス機構、ズーム機構等からなる。撮像部（１０１）は、カメラ系制御部（１０３）の指示に従い、被写体に対して焦点や光量等を調整し、レンズを通して結像された被写体の光学像を映像信号に変換し、カメラ信号処理部（１０２）に送出する。カメラ信号処理部（１０２）は、カメラ系制御部（１０３）の指示に従い、上記映像信号に所定の信号処理を施して、記録再生部（１０６）に送出する。
【００１３】
カメラ系操作部（１０４）は、カメラ系に関する各種スイッチ、ダイヤル（ＡＦオン／オフ）、ＡＥオート／ロック、プログラムＡＥ等）類から構成され、撮影者からの指示をシステム制御部（１０５）を介してカメラ系制御部（１０３）へ送出する。
【００１４】
カメラ系制御部（１０３）は、マイクロコンピュータ等により構成され、システム制御部（１０５）、カメラ系操作部（１０４）の指示等によりカメラ系全体を制御する。また、記録再生部（１０６）は、メカ部、メカ駆動部、マイクロコンピュータを中心とするメカ・サーボ制御部、映像・オーディオ信号処理部等から構成される。記録再生部（１０６）は、システム制御部の指示に従って、映像信号の記録・再生動作を行い、映像信号は表示部（１１２、１１３）に送出されるとともに、ラインアウトされる。
【００１５】
記録再生系操作部（１０７）は、記録再生および装置全体に関する各種スイッチ（［ＯＮ  ＳＣＲＥＥＮ］、［ＢＡＣＫＬＩＧＨＴ］、［ＷＩＤＥ  ＳＣＲＥＥＮ］、［実行］、［ＭＥＮＵ］、［ＦＦ／ＲＥＷ］、［ＳＴＯＰ］、［ＳＴＡＲＴ／ＳＴＯＰ］等）類から構成される。記録再生系操作部（１０７）は撮影者からの指示をシステム系制御部（１０５）に送出する。電源スイッチ（１０８）は、本体の電源をＯＮ／ＯＦＦするためのもので、その状態をシステム制御部（１０５）へ送出する。システム制御部（１０５）は、上述した構成のカメラ一体型ＶＴＲ（ビデオカメラ）の各種機能を総合的に制御するマイクロコンピュータ等から構成されている。
【００１６】
なお、上述の説明では、ＶＴＲとして記録再生部を説明しているが、半導体などの固体メモリ、ハードディスク、光記憶媒体などの記録媒体を用いても構わない。
【００１７】
表示部ａ（１１２）は、不図示のＬＣＤ部、バックライト部、ＬＣＤ駆動及びバックライト駆動用電気基板から構成されているが、液晶パネルだけではなく、有機ＥＬ、ＳＥＤ等によって構成されていても良い。映像を映し出すとともに、文字や記号による本体の各種情報の表示、メニュー設定時のガイド表示等を行う。
【００１８】
表示部ｂ（１１３）で、記録再生部（１０６）からの映像信号を撮影者に対して映し出す。この表示部ｂ（１１３）は、不図示のＬＣＤ部、バックライト部、ＬＣＤ駆動及びバックライト駆動用電気基板から構成されているが、液晶パネルだけではなく、有機ＥＬ、ＳＥＤ等によって構成されていても良い。表示部ｂ（１１３）は映像を映し出すとともに、文字や記号による本体の各種情報の表示、メニュー設定時のガイド表示等を行う。
【００１９】
なお、表示部ａ（１１２）は、不図示の使用者が直接表示パネル観察するため１．０インチ以上の比較的画面サイズの大きな表示素子が用いられる。後述するが、撮像装置本体の取り付け面に対して表示部ａ（１１２）が開閉方向に回動される第１の回動手段と、表示部ａ（１１２）が表裏反転自在に回動される第２の回動手段を有するヒンジにて連結されている。また、表示部ｂ（１１３）は、使用者が、表示素子を接眼レンズを通して観察するものである。使用者は使用状況に応じて、表示部ａ（１１２）、表示部ｂ（１１３）を使い分けることができる。
【００２０】
バッテリー接続部（１１４）は、バッテリー（１３０）を接続することによって、バッテリーから電力供給を受けられる。
【００２１】
リモコン受光部（１０９）は、不図示のリモコンコマンダーからの赤外光信号を受光し、システム制御部（１０５）に信号を送出し、これにより撮像装置は遠隔操作される。ＬＥＤ発光部で（１１０）は、リモコン受光部（１０９）が上記リモコンコマンダーからの赤外光信号を受光したときに発光する。そして、使用者にリモコンが受光したことを知らしめたり、撮像装置の記録動作時に発光し、使用者に撮像装置が記録動作中であることを知らしめる。
【００２２】
スピーカー部（１１１）は、撮像装置で再生時に音声をここから出力する。
【００２３】
マイク部（１１５）はマイクロホンを有し、撮影時に外部の音声を集音するものである。このマイク部（１１５）にて集音された音声は電気信号に変換され、記録再生部にて記録される。入出力端子（１１６）は、撮像装置による映像／音声信号を、不図示の外部モニタに出力したり、外部のＶＴＲからの映像／音声信号を入力して記録を行ったりする場合に使用される。
【００２４】
図２は本発明の実施例１による電子機器の外観斜視図である。
【００２５】
撮像装置（２００）は撮像装置本体（２０１）と撮像装置本体（２０１）にヒンジ（２０２）を介して回動自在に取り付けられた表示部ａ（２０３）とバッテリー（３００）を収納するバッテリー収納部（２０４）を持つ。バッテリー収納部にはバッテリー端子部を接続してから電力の供給を受けるバッテリー接続部（２０５）がある。ヒンジ（２０２）は、開閉軸（２０２ａ）と反転軸（２０２ｂ）の２つの回転軸を持ち、表示部ａ（２０３）は、撮像装置本体（２０１）に対して、開閉軸（２０２ａ）を中心に開閉し、反転軸（２０２ｂ）を中心に反転する。
【００２６】
撮像装置本体には、図１で示した１１２と１１４と１３０を除くすべての部分が含まれている。
【００２７】
図３は本発明の実施例１のバッテリーの外観図である。
【００２８】
バッテリー（３００）は、バッテリー本体（３０１）とバッテリー（３００）の表示部対向面（３０２）上に略円弧状の凸形状（３０３）と撮像装置本体のバッテリー接続部（２０５）に接続するバッテリー端子（３０４）で構成される。バッテリー端子（３０４）をバッテリー接続部（２０５）に接続することによって撮像装置（２００）に電力を供給する。
【００２９】
バッテリー（３００）を撮像装置（２００）に装着させると図４のようになる。この状態から、表示部ａ（２０３）を開閉動作、反転動作を複合的に組み合わせ動かした場合に、図５に示すように、表示部ａ（２０３）の一部がバッテリー（３００）の表示部対向面（３０２）に接触する場合がある。表示部ａ（２０３）の一部がバッテリー（３００）の表示部対向面（３０２）に当たる個所の軌跡は、略円弧状の形状となり、このような動作を繰り返すことにより、バッテリー（３００）の表示部対向面（３０２）に傷が生じる。そこで、接触する個所の軌跡と同様の略円弧状の凸形状（３０３）を設けることによって、表示部ａ（２０３）の一部がバッテリー（３００）の表示部対向面（３０２）に当たることによって生じる傷を視覚的に判別しにくいようにすることができる。
【００３０】
本発明によれば、複雑な機構の設計・製作も必要なく、機構が複雑でないので電子機器の筐体を小型化することが出来るとともにコストも安価になる。また、使用中に生じる傷を視覚的に判別困難にするため、長期にわたる使用や頻繁な使用でも、外観の悪化を感じさせることなく、快適に使用することが可能になる。
【００３１】
なお、本発明は、ビデオカメラに限るものではなく、第一の筐体と第二の筐体がヒンジを介して回動自在に接続された電子機器に対して着脱可能なバッテリーにおいて実施可能である。
【００３２】
また、傷をつきにくくする、または傷の判別を視覚的に困難にする構造として、凹凸形状のみでなく、印刷やシールを貼ったり、別部材を使用することも有効である。
【図面の簡単な説明】
【００３３】
【図１】本発明の電子機器のブロック図
【図２】本発明の電子機器の外観図
【図３】本発明のバッテリーの外観図
【図４】電子機器にバッテリーを装着した時の外観図
【図５】電子機器にバッテリーを装着した状態で、表示部を回動させた図
【符号の説明】
【００３４】
１００  撮像装置本体
１０１  撮像部
１０２  カメラ信号処理部
１０３  カメラ系制御部
１０４  カメラ系操作部
１０５  システム制御部
１０６  記録再生部
１０７  記録再生系操作部
１０８  電源スイッチ（ＳＷ）
１０９  リモコン受光部
１１０  ＬＥＤ発光部
１１１  スピーカー部
１１２  表示部ａ
１１３  表示部ｂ
１１４  バッテリー接続部
１１５  マイク部
１１６  入出力端子
１３０  バッテリー
２００  撮像装置
２０１  撮像装置本体
２０２  ヒンジ
２０３  表示部ａ
２０４  バッテリー収納部
２０５  バッテリー接続部
３００  バッテリー
３０１  バッテリー本体
３０２  表示部対向面
３０３  凸形状
３０４  バッテリー端子
【図１】
2007163588.tif 000003
【図２】
2007163588.tif 000004
【図３】
2007163588.tif 000005
【図４】
2007163588.tif 000006
【図５】
2007163588.tif 000007